(57)【要約】【課題】沈胴式レンズ鏡筒とフラッシュ装置を備えたデジタルスチルカメラ等の撮像装置において、フラッシュ装置を使用しての撮影においてもケラレの発生を防止する【解決手段】撮像装置１は、沈胴式レンズ鏡筒２と、フラッシュ装置３と、を備えているとともに、撮像装置本体部４の前面４ａから突出した前記沈胴式レンズ鏡筒２の先端部近傍位置まで前記フラッシュ装置３の発光部３ａを突出させるフラッシュ装置突出機構１１を備えている。【選択図】図１
2007148180.tif 000002
【特許請求の範囲】
【請求項１】
沈胴式レンズ鏡筒と、フラッシュ装置と、撮像装置本体部の前面から突出している前記沈胴式レンズ鏡筒の先端部近傍位置まで前記フラッシュ装置を突出させるフラッシュ装置突出機構と、を備えてなる撮像装置。
【請求項２】
前記フラッシュ装置突出機構は、前記フラッシュ装置を、前記撮像装置本体部内に格納した位置と前記撮像装置本体部の前面から突出させた位置の間で回動移動させることを特徴とする請求項１に記載の撮像装置。
【請求項３】
前記フラッシュ装置突出機構は、前記フラッシュ装置を前記撮像装置本体部に回動移動可能に取付けている取付軸と、該取付軸を中心にして前記フラッシュ装置を前記撮像装置本体部内に格納した位置と前記撮像装置本体部の前面から突出させた位置の間で回動移動させるギヤトレインと、該ギヤトレインを駆動するモータと、を備えていることを特徴とする請求項１に記載の撮像装置。
【請求項４】
前記フラッシュ装置突出機構は、前記フラッシュ装置を前記撮像装置本体部内に格納した位置と前記撮像装置本体部の前面から突出させた位置の間で直進移動させることを特徴とする請求項１に記載の撮像装置。
【請求項５】
前記フラッシュ装置突出機構は、前記フラッシュ装置を、前記撮像装置本体部内に前記沈胴式レンズ鏡筒の光軸方向に直進移動可能に支持している移動ガイド部と、該移動ガイド部に沿って前記フラッシュ装置を前記撮像装置本体部内に格納した位置と前記撮像装置本体部の前面から突出させた位置の間で直進移動させるギヤトレインと、該ギヤトレインを駆動するモータと、を備えていることを特徴とする請求項１に記載の撮像装置。
【請求項６】
前記沈胴式レンズ鏡筒と前記フラッシュ装置が前記撮像装置本体部内に格納された状態において、これら沈胴式レンズ鏡筒とフラッシュ装置を覆うレンズカバーが前記撮像装置本体部の前面にスライド可能に取り付けられていることを特徴とする請求項１に記載の撮像装置。
【請求項７】
前記レンズカバーは、前記沈胴式レンズ鏡筒と前記フラッシュ装置を覆う位置に在るときに該レンズカバー内に収容されていて、前記沈胴式レンズ鏡筒と前記フラッシュ装置を露出させる位置に在るときに該レンズカバーの前面から突出するグリップ部を備えていることを特徴とする請求項６に記載の撮像装置。
【発明の詳細な説明】
【技術分野】
【０００１】
本発明は、沈胴式レンズ鏡筒とフラッシュ装置を備えたデジタルスチルカメラ等の撮像装置に関するものである。
【背景技術】
【０００２】
沈胴式レンズ鏡筒とフラッシュ装置を備えたカメラとして、種々のものが開発されている。（例えば特許文献１、特許文献２、特許文献３、特許文献４）。この種のカメラにおいては、撮影時に沈胴式レンズ鏡筒（撮像レンズ）をカメラ本体部外に突出させると共に、フラッシュ装置をカメラ本体部の上面側に重ね合わせた格納状態からポップアップさせてカメラ本体部の上面から突出させ、発光部を露出させて写真撮影を行なうようになっている。
【特許文献１】特開平８−３３４８１２号公報
【特許文献２】特開平１１−３４４７５０号公報
【特許文献３】特開２００１−１７４８７３号公報
【特許文献４】特開２００１−１３３８６７号公報
【発明の開示】
【発明が解決しようとする課題】
【０００３】
ところで、上記従来のカメラにあっては、撮影時において、沈胴式レンズ鏡筒は、カメラ本体部の前面から突出するのに対して、フラッシュ装置は、ポップアップしてカメラ本体部の上面側に突出するが、カメラ本体部の前面側には突出せず、従って、フラッシュ装置は、沈胴式レンズ鏡筒の背後に位置した状態になり、フラッシュ装置を使用しての写真撮影時に所謂ケラレが発生し易いという問題点があった。
【０００４】
本願発明の目的は、沈胴式レンズ鏡筒とフラッシュ装置を備えたデジタルスチルカメラ等の撮像装置において、フラッシュ装置を使用しての撮影におけるケラレの発生を抑制することにある。
【課題を解決するための手段】
【０００５】
請求項１の発明は、沈胴式レンズ鏡筒と、フラッシュ装置とを備えた撮像装置において、撮像装置本体部の前面から突出している前記沈胴式レンズ鏡筒の先端部近傍位置まで前記フラッシュ装置を突出させるフラッシュ装置突出機構を設けた。
【０００６】
請求項２の発明は、請求項１の撮像装置において、前記フラッシュ装置突出機構を、前記フラッシュ装置を前記撮像装置本体部内に格納した位置と前記フラッシュ装置を前記撮像装置本体部の前面から突出させた位置の間で回動移動させる構成にした。
【０００７】
請求項３の発明は、請求項２の撮像装置において、前記フラッシュ装置突出機構を、前記フラッシュ装置を前記撮像装置本体部に回動移動可能に取付けている取付軸と、該取付軸を中心にして前記フラッシュ装置を前記撮像装置本体部内に格納した位置と前記撮像装置本体部の前面から突出させた位置の間で回動移動させるギヤトレインと、該ギヤトレインを駆動するモータと、で構成した。
【０００８】
請求項４の発明は、請求項１の撮像装置において、前記フラッシュ装置突出機構を、前記フラッシュ装置を前記撮像装置本体部内に格納した位置と前記撮像装置本体部の前面から突出させた位置の間で直進移動させる構成にした。
【０００９】
請求項５の発明は、請求項４の撮像装置において、前記フラッシュ装置突出機構を、前記撮像装置本体部内に前記沈胴式レンズ鏡筒の光軸方向に直進移動可能に支持している移動ガイド部と、該移動ガイド部に沿って前記フラッシュ装置を前記撮像装置本体部内に格納した位置と前記撮像装置本体部の前面から突出させた位置の間で直進移動させるギヤトレインと、該ギヤトレインを駆動するモータと、で構成した。
【００１０】
請求項６の発明は、請求項１の撮像装置において、前記沈胴式レンズ鏡筒と前記フラッシュ装置が前記撮像装置本体部内に格納された状態で、これら沈胴式レンズ鏡筒とフラッシュ装置を覆うレンズカバーを設けた。
【００１１】
請求項７の発明は、請求項６の撮像装置において、前記レンズカバーに、該レンズカバーを前記沈胴式レンズ鏡筒と前記フラッシュ装置を覆う位置から露出させる位置に移動させたときに該レンズカバーの前面から突出するグリップ部を設けた。
【発明の効果】
【００１２】
（１）請求項１の撮像装置は、フラッシュ装置突出機構でフラッシュ装置を撮像装置本体部の前面から突出している前記沈胴式レンズ鏡筒の先端部近傍位置まで突出させることにより、沈胴式レンズ鏡筒の先端部にフラッシュ装置の位置を近づけて前記ケラレの発生を防止する。
（２）請求項２の撮像装置は、前記撮像装置本体部内に格納されているフラッシュ装置を前記フラッシュ装置突出機構で所定の角度、例えば略９０°回動させることにより、前記撮像装置本体部の前面に突出している前記沈胴式レンズ鏡筒の先端部近傍位置まで突出させることができる。また、フラッシュ装置が突出している状態から前記フラッシュ装置突出機構で前記フラッシュ装置を突出させる時とは逆方向に略９０°回動させることにより、フラッシュ装置を撮像装置本体部内に格納することができる。
（３）請求項３の撮像装置は、フラッシュ装置突出機構のモータを一方向に回転させるとギヤトレインを介して前記フラッシュ装置が前記取付軸を中心に一方向に回動して、前記撮像装置本体部内に格納されている位置から前記撮像装置本体部の前面に突出している前記沈胴式レンズ鏡筒の先端部近傍位置まで突出する。また、前記モータを逆転させると、前記フラッシュ装置が取付軸を中心に逆方向に回動して撮像装置本体部内に格納される。
（４）請求項４の撮像装置は、前記撮像装置本体部内に格納されているフラッシュ装置を前記フラッシュ装置突出機構で直進的に前進させて前記撮像装置本体部の前面から押出して沈胴式レンズ鏡筒の先端部近傍位置まで突出させる。また、フラッシュ装置が突出している状態から前記フラッシュ装置突出機構で前記フラッシュ装置を直進的に後退させて、フラッシュ装置を撮像装置本体部内に格納する。
（５）請求項５の撮像装置は、フラッシュ装置突出機構のモータを一方向に回転させるとギヤトレインを介して前記フラッシュ装置が移動ガイド部によって前進移動して撮像装置本体部内から突出する。また、フラッシュ装置突出機構のモータを逆転させると、前記フラッシュ装置は後退移動して、撮像装置本体部内に格納される。
（６）請求項６の撮像装置は、撮像装置本体部の前面にスライド可能に取り付けたレンズカバーで、沈胴式レンズ鏡筒とフラッシュ装置を覆うことにより、前記沈胴式レンズ鏡筒に取り付けられているレンズやフラッシュ装置を保護することができる。
（７）請求項７の撮像装置は、前記レンズカバーが前記沈胴式レンズ鏡筒と前記フラッシュ装置を覆う位置に在るときに前記グリップ部は、前記レンズカバー内に収容されて、持ち運びの際に邪魔にならないようになっている。撮影する際には前記レンズカバーをスライド移動させると、前記レンズカバー内に収容されていたグリップ部が前記レンズカバー前面から突出するので前記グリップ部によって、撮像装置の把持を確実なものにすることができる。
【発明を実施するための最良の形態】
【００１３】
図１〜図１０は、第１実施例の撮像装置を示す。図１は沈胴式レンズ鏡筒とフラッシュ装置を突出させた状態の斜視図、図２は沈胴式レンズ鏡筒とフラッシュ装置を撮像装置本体部内に格納した状態の斜視図、図３はレンズカバーを閉じた状態の斜視図である。
【００１４】
撮像装置１は、沈胴式レンズ鏡筒２と、フラッシュ装置３と、これら沈胴式レンズ鏡筒２およびフラッシュ装置３を設けた撮像装置本体部４と、該撮像装置本体部４の前面４ａにスライド可能に取付けられていて前記沈胴式レンズ鏡筒２およびフラッシュ装置３を覆い隠すレンズカバー５と、該レンズカバー５の前面５ａに設けた窓部５ｂから突出するグリップ部６と、を備えている。
【００１５】
前記レンズカバー５は、図１，図２に示す前記沈胴式レンズ鏡筒２およびフラッシュ装置３を突出させるのに支障のない位置（開位置）と、図３に示す前記沈胴式レンズ鏡筒２およびフラッシュ装置３を覆い隠す位置（閉位置）の間でスライド移動可能になっている。
【００１６】
前記グリップ部６は、前記レンズカバー５を図３に示す閉位置から図１，図２に示す開位置に移動させると、前記レンズカバー５の前面５ａに設けた窓部５ｂから自動的に突出する。前記レンズカバー５を図３に示す閉位置から図２に示す開位置に移動させた後に、図１に示すように前記沈胴式レンズ鏡筒２を撮像装置本体部４の前面４ａから突出させる。また、フラッシュ装置３を使用して撮影する場合にはフラッシュ装置３を撮像装置本体部４の前面４ａに設けた窓部４ｂから突出させる。そして、前記レンズカバー５の前面５ａから突出しているグリップ部６を利用して、撮像装置１を確実に把持して撮影を行なう。
【００１７】
撮影終了後は、図２に示すように、前記沈胴式レンズ鏡筒２およびフラッシュ装置３を撮像装置本体部４内に格納した後に、前記レンズカバー５を閉位置まで移動させると、前記グリップ部６は自動的に前記レンズカバー５内に格納される。そして、前記レンズカバー５によって前記沈胴式レンズ鏡筒２およびフラッシュ装置３が覆い隠されて保護される。
【００１８】
前記フラッシュ装置３は、次に説明するフラッシュ装置突出機構１１により、図２に示す真横を向いて撮像装置本体部４に格納された状態から時計方向に略９０°回動して、図１に示す撮像装置本体部４の前面４ａの窓部４ｂから真っ直ぐに前方を向いた状態に突出し、前記沈胴式レンズ鏡筒２の光軸と略平行になり、先端の発光部３ａが前記沈胴式レンズ鏡筒２の先端部近傍に位置する。また、これとは逆に、図１に示す撮像装置本体部４の前面４ａの窓部４ｂから突出した状態から反時計方向に略９０°回動して、図２に示す撮像装置本体部４に格納された状態になる。
【００１９】
図４の分解斜視図に示すように、前記フラッシュ装置突出機構１１は、前記フラッシュ装置３を前記撮像装置本体部４内に回動可能に支持している取付軸１２と、該取付軸１２を介して前記フラッシュ装置３を前記撮像装置本体部４内に格納した位置と前記撮像装置本体部４の前面４ａから突出させた位置の間で回動移動させるギヤトレイン１３と、該ギヤトレイン１３を駆動するモータ１４と、からなっている。そして、図２に示すように、フラッシュ装置３が撮像装置本体部４内に格納されている状態において、モータ１４を一方向に回転させるとギヤトレイン１３を介して取付軸１２およびフラッシュ装置３が時計方向に略９０°回動して図１に示すように、前記撮像装置本体部４の前面４ａから突出する。また、図１に示す状態において、モータ１４を他方向に回転させると前記ギヤトレイン１３によって取付軸１２およびフラッシュ装置３が反時計方向に略９０°回動して、図２に示すように前記フラッシュ装置３が前記撮像装置本体部４内に格納される。
【００２０】
次に、前記レンズカバー５およびグリップ部６について説明する。図４に示すように、レンズカバー５は、前面５ａに前記グリップ部６が出没する窓部５ｂが設けられている。前記レンズカバー５は、枠状のカバー支持体２１の前面側に被せるようにして取付けられる。
【００２１】
前記カバー支持体２１は、一対のスライドガイド部材２２，２３によって、前記撮像装置本体部４の前面４ａにスライド可能に取付けられていて、図１に示す位置にスライドして来たときにトグルバネ等の付勢部材（図示省略）によって前記撮像装置本体部４の一側部に設けたストッパー等に押し付けられてレンズカバー５を開位置に維持する。また、図３に示す位置にスライドして来たときに前記トグルバネによって前記撮像装置本体部４の他側部に設けたストッパーに押し付けられてレンズカバー５を閉位置に維持する。前記枠状のカバー支持体２１内には、グリップ部６を起立操作するグリップ部操作機構３１が配置されている。
【００２２】
前記グリップ部６は、一対の第１、第２アーム６ａ，６ｂをヒンジ６ｃで結合することにより構成されている。前記第１アーム６ａの端部には、後に説明するグリップ部操作機構３１の第１の軸３２を挿入する軸受孔６ｄが設けられている。また、前記第２アーム６ｂには軸部６ｅを介して目隠板６ｆが設けられている。前記目隠板６ｆは、第１、第２アーム６ａ，６ｂが折れ曲がったり伸びたりする際に前記第２アーム６ｂの端部が浮き上がるのを防止すると共に、前記第１、第２アーム６ａ，６ｂの突出時において前記窓部５ｂを目隠しするようになっている。なお、図５以下の図面において前記目隠板６ｆの図示は省略した。
【００２３】
前記グリップ部６は、前記レンズカバー５を閉位置から開位置に移動させるときに、次に詳しく説明するグリップ部操作機構３１により前記ヒンジ６ｃで前記第１、第２アーム６ａ，６ｂが所謂２つ折り状になって、前記レンズカバー５の前面５ａに設けた窓部５ｂから突出し、逆に前記レンズカバー５を開位置から閉位置に移動させることにより、前記グリップ部操作機構３１により前記ヒンジ６ｃで前記第１、第２アーム６ａ，６ｂが直線状に伸びて、前記窓部５ｂから前記レンズカバー５内に収納される。
【００２４】
図４に示すように、前記グリップ部操作機構３１は、前記第１アーム６ａの端部に設けた軸受孔６ｄに挿入することにより前記枠状のカバー支持体２１に前記第１アーム６ａを回動可能に取付けている第１の軸３２と、該第１の軸３２に取付けられた連結体係止部３３と、第２の軸３４により前記枠状のカバー支持体２１に回動可能に取付けられた扇状の歯車３５と、該扇状の歯車３５に一端部が係止され他端部が前記連結体係止部３３に係止されたコイルスプリング等の連結部材３６と、前記撮像装置本体部４の前面４ａに取付けられていて前記扇状の歯車３５に噛合するラック３７と、前記グリップ部６の第２アーム６ｂの端部に設けた軸部６ｅの両端部が係合して該部をスライドガイドする一対のガイド部３８、３９と、を備えている。
【００２５】
前記グリップ部操作機構３１は、レンズカバー５が閉位置に在る時には、図５，図６に示すように、前記第１、第２アーム６ａ，６ｂを直線状に伸ばしている。この状態からレンズカバー５を図５，図６の左方にスライドさせると、前記ラック３７に扇状の歯車３５が噛合して該扇状の歯車３５は、時計方向に回動する。
【００２６】
前記扇状の歯車３５が時計方向に回動するとコイルスプリング等の連結部材３６を介して連結体係止部３３および該連結体係止部３３を取付けている第１の軸３２が時計方向に回動する。前記第１の軸３２が時計方向に回動すると、該第１の軸３２に取付けられている前記グリップ部６の第１アーム６ａが時計方向に回動する。従って、前記グリップ部６の第１、第２アーム６ａ，６ｂは、図７，図８に示すように、ヒンジ６ｃ部分で山形状に折れ曲がった状態になる。
【００２７】
更に、前記レンズカバー５を図７，図８の左方にスライドさせて、前記レンズカバー５が開位置に移動してくると、前記グリップ部６の第１、第２アーム６ａ，６ｂは、図９，図１０に示すように、ヒンジ６ｃによって折り重なった状態になって、前記レンズカバー５の前面５ａに設けた窓部５ｂから略直角に突出する。
【００２８】
第１実施例の撮像装置１は、上述のような構成であって、レンズカバー５を閉位置から開位置に移動させると、グリップ部６がレンズカバー５の前面から突出し、該グリップ部６を使用することにより、撮像装置１の把持を容易、確実なものにすることができる。そして、フラッシュ装置３を使用して撮影する場合には、撮像装置本体部４内に格納されているフラッシュ装置３を、フラッシュ装置突出機構１１で略９０°回動させて、撮像装置本体部４の前面４ａから突出させる。撮像装置本体部４の前面４ａから突出したフラッシュ装置３は、前記沈胴式レンズ鏡筒２の光軸を略平行状態になると共に、フラッシュ装置３の先端の発光部３ａは、前記沈胴式レンズ鏡筒２の先端部近傍位置まで突出して、ケラレの発生を防止する。
【００２９】
撮影終了後、沈胴式レンズ鏡筒２とフラッシュ装置３を撮像装置本体部４内に格納して、前記レンズカバー５を閉位置に移動させると、前記グリップ部６は、直線状に伸びて前記窓部５ｂからレンズカバー５内に収容され、前記窓部５ｂを閉じた状態にする。
【００３０】
図１１〜図１３は、第２実施例の撮像装置１を示す。第２実施例と前記第１実施例の主たる相違点は、前記第１実施例においては、フラッシュ装置３をフラッシュ装置突出機構１１で略９０°回動させて、撮像装置本体部４内に格納した位置と、撮像装置本体部４の外面から突出した位置との間で変位させる構成にしたのに対して、第２実施例では、前記フラッシュ装置３をフラッシュ装置突出機構１１で撮像装置本体部４の前後方向に直進移動させて、前記撮像装置本体部４内に格納した位置と前記撮像装置本体部４の前面から突出させた位置の間で変位させる構成にした。
【００３１】
図１３に示すように、フラッシュ装置突出機構１１は、前記フラッシュ装置３を撮像装置本体部４内において前記沈胴式レンズ鏡筒３の光軸方向に直進移動可能に支持している移動ガイド部４１と、該移動ガイド部４１に沿って前記フラッシュ装置３を前記撮像装置本体部４内に格納した位置と前記撮像装置本体部４の前面４ａの窓部４ｂから突出した位置の間で移動させるラック４２およびピニオン４３と、ギヤトレイン４４と、該ギヤトレイン４４を駆動するモータ４５と、を備えている。
【００３２】
前記フラッシュ装置突出機構１１は、図１１に示すように、前記フラッシュ装置３が撮像装置本体部４の前面４ａから突出している状態において、前記モータ４５の軸を一方向に回転させると前記ギヤトレイン４４、ラック４２およびピニオン４３を介して前記フラッシュ装置３を図１２に示すように前記撮像装置本体部４内に引き込んで該撮像装置本体部４の前面４ａの窓部４ｂを塞いだ状態にする。また、これとは逆に図１２に示すようにフラッシュ装置３が撮像装置本体部４内に収納されている状態において、前記モータ４５の軸を逆転させると前記フラッシュ装置３は、図１１に示すように、前記撮像装置本体部４の前面４ａの窓部４ｂから突出する。
【００３３】
第２実施例においては、ラック４２およびピニオン４３を使用してフラッシュ装置３を直進移動させるので、フラッシュ装置３の突出量を調整することが容易に可能になる。その他の構成は、第１実施例の場合と同じであるので重複する説明は省略する。
【図面の簡単な説明】
【００３４】
【図１】沈胴式レンズ鏡筒とフラッシュ装置を突出させた状態の斜視図（第１実施例）。
【図２】沈胴式レンズ鏡筒とフラッシュ装置を収納した状態の斜視図（第１実施例）。
【図３】レンズカバーを閉位置に移動させた状態の斜視図（第１実施例）。
【図４】分解斜視図（第１実施例）。
【図５】グリップ部が伸びた状態の斜視図（第１実施例）。
【図６】図５の状態におけるフラッシュ装置突出機構の平面図（第１実施例）。
【図７】グリップ部がＶ時状に折り曲げられた状態の斜視図（第１実施例）。
【図８】図７の状態におけるフラッシュ装置突出機構の平面図（第１実施例）。
【図９】グリップ部が２つに折り重ねられた状態の斜視図（第１実施例）。
【図１０】図９の状態におけるフラッシュ装置突出機構の平面図（第１実施例）。
【図１１】沈胴式レンズ鏡筒とフラッシュ装置を突出させた状態の斜視図（第２実施例）。
【図１２】沈胴式レンズ鏡筒とフラッシュ装置を収納した状態の斜視図（第２実施例）。
【図１３】フラッシュ装置突出機構の斜視図（第２実施例）。
【符号の説明】
【００３５】
１…撮像装置
２…沈胴式レンズ鏡筒
３…フラッシュ装置
４…撮像装置本体部
５…レンズカバー
６…グリップ部
１１…フラッシュ装置突出機構
１２…取付軸
１３…ギヤトレイン
１４…モータ
４１…移動ガイド部
４２…ラック
４３…ピニオン
４４…ギヤトレイン
４５…モータ
【図１】
2007148180.tif 000003
【図２】
2007148180.tif 000004
【図３】
2007148180.tif 000005
【図４】
2007148180.tif 000006
【図５】
2007148180.tif 000007
【図６】
2007148180.tif 000008
【図７】
2007148180.tif 000009
【図８】
2007148180.tif 000010
【図９】
2007148180.tif 000011
【図１０】
2007148180.tif 000012
【図１１】
2007148180.tif 000013
【図１２】
2007148180.tif 000014
【図１３】
2007148180.tif 000015